(57)【要約】【課題】  本発明は、カ−ド基材の両面に印刷可能な印刷用シ−トを提供することを目的としている。【解決手段】  印刷用シ−トＰは、両面印刷可能な矩形形状のカ−ド基材１と、このカ−ド基材１の裏面に再剥離性粘着剤２を介して付着したカ−ド基材１と同形状の台紙基材３と、再剥離性粘着剤２は、台紙基材３の側に塗布されており、台紙基材３は、少なくとも、環状に切り込みが設けられた環状台紙切り込みＤＫ１（ＤＫ２）が設けられ、カ−ド基材１は、少なくとも、環状に切り込みが設けられた環状カ−ド基材切り込みＣＫ１（ＣＫ２）が設けられ、この環状カ−ド基材切り込みＣＫ１（ＣＫ２）の内側に環状台紙切り込みＤＫ１（ＤＫ２）が位置している。【選択図】図４
2005343070.tif 000002
【特許請求の範囲】
【請求項１】
両面印刷可能な矩形形状のカ−ド基材と、
このカ−ド基材の裏面に再剥離性粘着剤を介して付着した前記カ−ド基材と同形状の台紙基材と、
前記再剥離性粘着剤は、前記台紙基材の側に塗布されており、
前記台紙基材は、少なくとも、環状に切り込みが設けられた環状台紙切り込みが設けられ、
前記カ−ド基材は、少なくとも、環状に切り込みが設けられた環状カ−ド基材切り込みが設けられ、
この環状カ−ド基材切り込みの内側に前記環状台紙切り込みが位置している
ことを特徴とする印刷用シ−ト。
【請求項２】
両面印刷可能な矩形形状のカ−ド基材と、
このカ−ド基材の外周縁部は、時計回りに、第１のカ−ド辺、第２のカ−ド辺、第３のカ−ド辺、第４のカ−ド辺で構成され、
このカ−ド基材の裏面に再剥離性粘着剤を介して付着した前記カ−ド基材と同形状の台紙基材と、
この台紙基材の外周縁部は、反時計回りに、第１の台紙辺、第２の台紙辺、第３の台紙辺、第４の台紙辺で構成され、
前記カ−ド基材と前記台紙基材とが付着した状態においては、前記第１の台紙辺は前記第１のカ−ド辺に、前記第２の台紙辺は前記第２のカ−ド辺に、前記第３の台紙辺は前記第３のカ−ド辺に、前記第４の台紙辺は前記第４のカ−ド辺に、それぞれ対応する関係にあり、
前記再剥離性粘着剤は、前記台紙基材の側に塗布されており、
前記台紙基材は、前記第１の台紙辺及び第３の台紙辺に平行且つ、第２の台紙辺の手前から前記第４の台紙辺の手前に至る台紙縦切り込みが複数設けられ、
この複数の台紙縦切り込みは、少なくとも、前記第１の台紙辺から前記第３の台紙辺に向かって第１の台紙縦切り込み、第３の台紙縦切り込み、第４の台紙縦切り込み、第２の台紙縦切り込みであり、
前記第２の台紙辺及び第４の台紙辺に平行であって、前記第１の台紙縦切り込みの前記第２の台紙辺に近い側の端部と前記第３の台紙縦切り込みの前記第２の台紙辺に近い側の端部とを結ぶ切り込みである一方の第１の台紙横切り込みと、
この一方の第１の台紙横切り込みの延長線上にあって、前記第４の台紙縦切り込みの前記第２の台紙辺に近い側の端部と前記第２の台紙縦切り込みの前記第２の台紙辺に近い側の端部とを結ぶ切り込みである他方の第１の台紙横切り込みと、
前記第２の台紙辺及び第４の台紙辺に平行であって、前記第１の台紙縦切り込みの前記第４の台紙辺に近い側の端部と前記第３の台紙縦切り込みの前記第４の台紙辺に近い側の端部とを結ぶ切り込みである一方の第２の台紙横切り込みと、
この一方の第２の台紙横切り込みの延長線上にあって、前記第４の台紙縦切り込みの前記第４の台紙辺に近い側の端部と前記第２の台紙縦切り込みの前記第４の台紙辺に近い側の端部とを結ぶ切り込みである他方の第２の台紙横切り込みと、
前記第１の台紙縦切り込み、前記一方の第１の台紙横切り込み、前記第３の台紙縦切り込み、前記一方の第２の台紙横切り込みで、第１の環状台紙切り込みを構成し、
前記第４の台紙縦切り込み、前記他方の第１の台紙横切り込み、前記第２の台紙縦切り込み、前記他方の第２の台紙横切り込みで、第２の環状台紙切り込みを構成し、
前記カ−ド基材は、前記第１のカ−ド辺及び第３のカ−ド辺に平行且つ、第２のカ−ド辺の手前から前記第４のカ−ド辺の手前に至るカ−ド基材縦切り込みが複数設けられ、
この複数のカ−ド基材縦切り込みは、少なくとも、前記第１のカ−ド辺から前記第３のカ−ド辺に向かって第１のカ−ド基材縦切り込み、第３のカ−ド基材縦切り込み、第４のカ−ド基材縦切り込み、第２のカ−ド基材縦切り込みであり、
前記第２のカ−ド辺及び第４のカ−ド辺に平行であって、前記第１のカ−ド基材縦切り込みの前記第２のカ−ド辺に近い側の端部と前記第３のカ−ド基材縦切り込みの前記第２のカ−ド辺に近い側の端部とを結ぶ切り込みである一方の第１のカ−ド基材横切り込みと、
この一方の第１のカ−ド基材横切り込みの延長線上にあって、前記第４のカ−ド基材縦切り込みの前記第２のカ−ド辺に近い側の端部と前記第２のカ−ド基材縦切り込みの前記第２のカ−ド辺に近い側の端部とを結ぶ切り込みである他方の第１のカ−ド基材横切り込みと、
前記第２のカ−ド辺及び第４のカ−ド辺に平行であって、前記第１のカ−ド基材縦切り込みの前記第４のカ−ド辺に近い側の端部と前記第３のカ−ド基材縦切り込みの前記第４のカ−ド辺に近い側の端部とを結ぶ切り込みである一方の第２のカ−ド基材横切り込みと、
この一方の第２のカ−ド基材横切り込みの延長線上にあって、前記第４のカ−ド基材縦切り込みの前記第４のカ−ド辺に近い側の端部と前記第２のカ−ド基材縦切り込みの前記第４のカ−ド辺に近い側の端部とを結ぶ切り込みである他方の第２のカ−ド基材横切り込みと、
前記第１のカ−ド基材縦切り込み、前記一方の第１のカ−ド基材横切り込み、前記第３のカ−ド基材縦切り込み、前記一方の第２のカ−ド基材横切り込みで、第１の環状カ−ド基材切り込みを構成し、
前記第４のカ−ド基材縦切り込み、前記他方の第１のカ−ド基材横切り込み、前記第２のカ−ド基材縦切り込み、前記他方の第２のカ−ド基材横切り込みで、第２の環状カ−ド基材切り込みを構成し、
前記第１の環状カ−ド基材切り込みの内側に前記第１の環状台紙切り込みが、前記第２の環状カ−ド基材切り込みの内側に前記第２の環状台紙切り込みが、それぞれ位置していることを特徴とする印刷用シ−ト。
【請求項３】
第１の環状カ−ド基材切り込み内にあるカ−ド基材を等間隔に横切ると共に、切り込みが第１のカ−ド基材縦切り込みと第３のカ−ド基材縦切り込みに至り、一方の第１のカ−ド基材横切り込み及び一方の第２のカ−ド基材横切り込みに平行である一方のカ−ド基材横切り込みが複数設けられ、
第２の環状カ−ド基材切り込み内にあるカ−ド基材を等間隔に横切ると共に、切り込みが第４のカ−ド基材縦切り込みと第２のカ−ド基材縦切り込みに至り、他方の第１のカ−ド基材横切り込み及び他方の第２のカ−ド基材横切り込みに平行である他方のカ−ド基材横切り込みが複数設けられ、
前記複数の一方のカ−ド基材横切り込みと前記複数の他方のカ−ド基材横切り込みの数は同数であり、前記複数の一方のカ−ド基材横切り込みの延長線上に前記複数の他方のカ−ド基材横切り込みがそれぞれ位置していることを特徴とする請求項２記載の印刷用シ−ト。
【請求項４】
両面印刷可能な矩形形状のカ−ド基材と、
このカ−ド基材の裏面に再剥離性粘着剤を介して付着した前記カ−ド基材と同形状の台紙基材と、
前記再剥離性粘着剤は、前記台紙基材の側に塗布されており、
前記台紙基材は、少なくとも、環状に切り込みが設けられた環状台紙切り込みが設けられ、
前記カ−ド基材は、少なくとも、環状に切り込みが設けられた環状カ−ド基材切り込みが設けられ、
この環状カ−ド基材切り込みの内側に前記環状台紙切り込みが位置し、前記カ−ド基材の露出している表面側を印刷し、その後、前記環状台紙切り込みの内側に位置する前記台紙基材の部材を剥離した後、剥離した前記環状台紙切り込みの内側に位置する前記台紙基材の部材を前記カ−ド基材の表面側に付着させ、前記カ−ド基材の裏面側を印刷することを特徴とする印刷用シ−トの印刷方法。
【請求項５】
両面印刷可能な矩形形状のカ−ド基材と、
このカ−ド基材の外周縁部は、時計回りに、第１のカ−ド辺、第２のカ−ド辺、第３のカ−ド辺、第４のカ−ド辺で構成され、
このカ−ド基材の裏面に再剥離性粘着剤を介して付着した前記カ−ド基材と同形状の台紙基材と、
この台紙基材の外周縁部は、反時計回りに、第１の台紙辺、第２の台紙辺、第３の台紙辺、第４の台紙辺で構成され、
前記カ−ド基材と前記台紙基材とが付着した状態においては、前記第１の台紙辺は前記第１のカ−ド辺に、前記第２の台紙辺は前記第２のカ−ド辺に、前記第３の台紙辺は前記第３のカ−ド辺に、前記第４の台紙辺は前記第４のカ−ド辺に、それぞれ対応する関係にあり、
前記再剥離性粘着剤は、前記台紙基材の側に塗布されており、
前記台紙基材は、前記第１の台紙辺及び第３の台紙辺に平行且つ、第２の台紙辺から前記第４の台紙辺に至る台紙縦切り込みが複数設けられ、
この複数の台紙縦切り込みは、少なくとも、前記第１の台紙辺から前記第３の台紙辺に至る第１の台紙縦切り込み、第２の台紙縦切り込みであり、
前記カ−ド基材は前記第１のカ−ド辺及び第３のカ−ド辺に平行且つ、第２のカ−ド辺から前記第４のカ−ド辺に至るカ−ド基材縦切り込みが複数設けられ、
この複数のカ−ド基材縦切り込みは、少なくとも、前記第１のカ−ド辺から前記第３のカ−ド辺に至る第１のカ−ド基材縦切り込み、第２のカ−ド基材縦切り込みであり、
前記第１のカ−ド基材縦切り込みは、前記第１のカ−ド辺と前記第１の台紙縦切り込みとの間に、前記第２のカ−ド基材縦切り込みは、前記第２の台紙縦切り込みと前記第３のカ−ド辺との間に、それぞれ位置している
ことを特徴とする印刷用シ−ト。
【請求項６】
両面印刷可能な矩形形状のカ−ド基材と、
このカ−ド基材の外周縁部は、時計回りに、第１のカ−ド辺、第２のカ−ド辺、第３のカ−ド辺、第４のカ−ド辺で構成され、
このカ−ド基材の裏面に再剥離性粘着剤を介して付着した前記カ−ド基材と同形状の台紙基材と、
この台紙基材の外周縁部は、反時計回りに、第１の台紙辺、第２の台紙辺、第３の台紙辺、第４の台紙辺で構成され、
前記カ−ド基材と前記台紙基材とが付着した状態においては、前記第１の台紙辺は前記第１のカ−ド辺に、前記第２の台紙辺は前記第２のカ−ド辺に、前記第３の台紙辺は前記第３のカ−ド辺に、前記第４の台紙辺は前記第４のカ−ド辺に、それぞれ対応する関係にあり、
前記再剥離性粘着剤は、前記台紙基材の側に塗布されており、
前記台紙基材は間隔を有して前記第１の台紙辺及び第３の台紙辺に平行且つ、第２の台紙辺から前記第４の台紙辺に至る台紙縦切り込みが複数設けられ、
この複数の台紙縦切り込みは、前記第１の台紙辺から前記第３の台紙辺に向かって第１の台紙縦切り込み、第３の台紙縦切り込み、第４の台紙縦切り込み、第２の台紙縦切り込みであり、
前記カ−ド基材は間隔を有して前記第１のカ−ド辺及び第３のカ−ド辺に平行且つ、前記第２のカ−ド辺及び前記第４のカ−ド辺に至るカ−ド基材縦切り込みが複数設けられ、
この複数のカ−ド基材縦切り込みは、前記第１のカ−ド辺から前記第３のカ−ド辺に向かって第１のカ−ド基材縦切り込み、第３のカ−ド基材縦切り込み、第４のカ−ド基材縦切り込み、第２のカ−ド基材縦切り込みであり、                                      前記第１のカ−ド基材縦切り込みは、前記第１のカ−ド辺と前記第１の台紙縦切り込みとの間に、前記第３のカ−ド基材縦切り込みは、前記第４のカ−ド基材縦切り込みと前記第３の台紙縦切り込みとの間に、前記第４のカ−ド基材縦切り込みは、前記第３のカ−ド基材縦切り込みと前記第４の台紙縦切り込みとの間に、前記第２のカ−ド基材縦切り込みは、前記第２の台紙縦切り込みと前記第３のカ−ド辺との間に、それぞれ位置している
ことを特徴とする印刷用シ−ト。
【請求項７】
第１のカ−ド基材縦切り込みと第３のカ−ド基材縦切り込みとの間のカ−ド基材を等間隔に横切ると共に、切り込みが第１のカ−ド基材縦切り込みと第３のカ−ド基材縦切り込みに至り、第２のカ−ド辺及び第４のカ−ド辺に平行である一方のカ−ド基材横切り込みが複数設けられ、
第４のカ−ド基材縦切り込みと第２のカ−ド基材縦切り込みとの間のカ−ド基材を等間隔に横切ると共に、切り込みが第４のカ−ド基材縦切り込みと第２のカ−ド基材縦切り込みに至り、第２のカ−ド辺及び第４のカ−ド辺に平行である他方のカ−ド基材横切り込みが複数設けられ、
前記複数の一方のカ−ド基材横切り込みと前記複数の他方のカ−ド基材横切り込みの数は同数であり、前記複数の一方のカ−ド基材横切り込みの延長線上に前記複数の他方のカ−ド基材横切り込みがそれぞれ位置していることを特徴とする請求項６記載の印刷用シ−ト。
【請求項８】
両面印刷可能な矩形形状のカ−ド基材と、
このカ−ド基材の外周縁部は、時計回りに、第１のカ−ド辺、第２のカ−ド辺、第３のカ−ド辺、第４のカ−ド辺で構成され、
このカ−ド基材の裏面に再剥離性粘着剤を介して付着した前記カ−ド基材と同形状の台紙基材と、
この台紙基材の外周縁部は、反時計回りに、第１の台紙辺、第２の台紙辺、第３の台紙辺、第４の台紙辺で構成され、
前記カ−ド基材と前記台紙基材とが付着した状態においては、前記第１の台紙辺は前記第１のカ−ド辺に、前記第２の台紙辺は前記第２のカ−ド辺に、前記第３の台紙辺は前記第３のカ−ド辺に、前記第４の台紙辺は前記第４のカ−ド辺に、それぞれ対応する関係にあり、
前記再剥離性粘着剤は、前記台紙基材の側に塗布されており、
前記台紙基材は、前記第１の台紙辺及び第３の台紙辺に平行且つ、第２の台紙辺から前記第４の台紙辺の手前に至る台紙縦切り込みが複数設けられ、
この複数の台紙縦切り込みは、少なくとも、前記第１の台紙辺から前記第３の台紙辺に至る第１の台紙縦切り込み、第２の台紙縦切り込みであり、
前記カ−ド基材は前記第１のカ−ド辺及び第３のカ−ド辺に平行且つ、第２のカ−ド辺から前記第４のカ−ド辺に至るカ−ド基材縦切り込みが複数設けられ、
この複数のカ−ド基材縦切り込みは、少なくとも、前記第１のカ−ド辺から前記第３のカ−ド辺に至る第１のカ−ド基材縦切り込み、第２のカ−ド基材縦切り込みであり、
前記第１のカ−ド基材縦切り込みは、前記第１のカ−ド辺と前記第１の台紙縦切り込みとの間に、前記第２のカ−ド基材縦切り込みは、前記第２の台紙縦切り込みと前記第３のカ−ド辺との間に、それぞれ位置し、
前記カ−ド基材の露出している表面側を印刷し、その後、前記第１の台紙縦切り込みと前記第２の台紙縦切り込みとの間に位置する前記台紙基材の部材を剥離した後、剥離した前記台紙基材の部材を前記カ−ド基材の表面側に付着させ、前記カ−ド基材の裏面側を印刷することを特徴とする印刷用シ−トの印刷方法。
【発明の詳細な説明】
【技術分野】
【０００１】
本発明は、印刷用シ−ト及び印刷用シ−トの印刷方法に係り、特に、カ−ド基材の両面に特殊な材料を用いることなく簡易に印刷可能な印刷用シ−ト及び印刷用シ−トの印刷方法に関する。
【背景技術】
【０００２】
印刷用シ−トとして、例えば、プリンタ−で名刺を印刷することができる名刺シ−トがある（例えば、特許文献１参照）。
【特許文献１】特開平１１−１７０７４５号公報
【発明の開示】
【発明が解決しようとする課題】
【０００３】
これは、印刷された後、印刷されたものをカッタ−等で切断しないように、印刷される名刺には予め切り込みが入れられており、便利なものとなっている。
しかしながら、印刷用シ−トの表側（名刺の表側）は印刷することができるものの、印刷用シ−トの裏側（名刺の裏側）は特殊な材料を使用しなければ、印刷することができないという問題点が生じた。
本発明は、上述した問題点を除去するようにした印刷用シ−ト及び印刷用シ−トの印刷方法を提供するものである。
【課題を解決するための手段】
【０００４】
上記目的を達成するために、請求項１記載の印刷用シ−トは、両面印刷可能な矩形形状のカ−ド基材と、このカ−ド基材の裏面に再剥離性粘着剤を介して付着した前記カ−ド基材と同形状の台紙基材と、前記再剥離性粘着剤は、前記台紙基材の側に塗布されており、前記台紙基材は、少なくとも、環状に切り込みが設けられた環状台紙切り込みが設けられ、前記カ−ド基材は、少なくとも、環状に切り込みが設けられた環状カ−ド基材切り込みが設けられ、この環状カ−ド基材切り込みの内側に前記環状台紙切り込みが位置している。
【０００５】
請求項２記載の印刷用シ−トは、両面印刷可能な矩形形状のカ−ド基材と、このカ−ド基材の外周縁部は、時計回りに、第１のカ−ド辺、第２のカ−ド辺、第３のカ−ド辺、第４のカ−ド辺で構成され、このカ−ド基材の裏面に再剥離性粘着剤を介して付着した前記カ−ド基材と同形状の台紙基材と、この台紙基材の外周縁部は、反時計回りに、第１の台紙辺、第２の台紙辺、第３の台紙辺、第４の台紙辺で構成され、前記カ−ド基材と前記台紙基材とが付着した状態においては、前記第１の台紙辺は前記第１のカ−ド辺に、前記第２の台紙辺は前記第２のカ−ド辺に、前記第３の台紙辺は前記第３のカ−ド辺に、前記第４の台紙辺は前記第４のカ−ド辺に、それぞれ対応する関係にあり、前記再剥離性粘着剤は、前記台紙基材の側に塗布されており、前記台紙基材は、前記第１の台紙辺及び第３の台紙辺に平行且つ、第２の台紙辺の手前から前記第４の台紙辺の手前に至る台紙縦切り込みが複数設けられ、この複数の台紙縦切り込みは、少なくとも、前記第１の台紙辺から前記第３の台紙辺に向かって第１の台紙縦切り込み、第３の台紙縦切り込み、第４の台紙縦切り込み、第２の台紙縦切り込みであり、前記第２の台紙辺及び第４の台紙辺に平行であって、前記第１の台紙縦切り込みの前記第２の台紙辺に近い側の端部と前記第３の台紙縦切り込みの前記第２の台紙辺に近い側の端部とを結ぶ切り込みである一方の第１の台紙横切り込みと、この一方の第１の台紙横切り込みの延長線上にあって、前記第４の台紙縦切り込みの前記第２の台紙辺に近い側の端部と前記第２の台紙縦切り込みの前記第２の台紙辺に近い側の端部とを結ぶ切り込みである他方の第１の台紙横切り込みと、前記第２の台紙辺及び第４の台紙辺に平行であって、前記第１の台紙縦切り込みの前記第４の台紙辺に近い側の端部と前記第３の台紙縦切り込みの前記第４の台紙辺に近い側の端部とを結ぶ切り込みである一方の第２の台紙横切り込みと、この一方の第２の台紙横切り込みの延長線上にあって、前記第４の台紙縦切り込みの前記第４の台紙辺に近い側の端部と前記第２の台紙縦切り込みの前記第４の台紙辺に近い側の端部とを結ぶ切り込みである他方の第２の台紙横切り込みと、前記第１の台紙縦切り込み、前記一方の第１の台紙横切り込み、前記第３の台紙縦切り込み、前記一方の第２の台紙横切り込みで、第１の環状台紙切り込みを構成し、前記第４の台紙縦切り込み、前記他方の第１の台紙横切り込み、前記第２の台紙縦切り込み、前記他方の第２の台紙横切り込みで、第２の環状台紙切り込みを構成し、前記カ−ド基材は、前記第１のカ−ド辺及び第３のカ−ド辺に平行且つ、第２のカ−ド辺の手前から前記第４のカ−ド辺の手前に至るカ−ド基材縦切り込みが複数設けられ、この複数のカ−ド基材縦切り込みは、少なくとも、前記第１のカ−ド辺から前記第３のカ−ド辺に向かって第１のカ−ド基材縦切り込み、第３のカ−ド基材縦切り込み、第４のカ−ド基材縦切り込み、第２のカ−ド基材縦切り込みであり、前記第２のカ−ド辺及び第４のカ−ド辺に平行であって、前記第１のカ−ド基材縦切り込みの前記第２のカ−ド辺に近い側の端部と前記第３のカ−ド基材縦切り込みの前記第２のカ−ド辺に近い側の端部とを結ぶ切り込みである一方の第１のカ−ド基材横切り込みと、この一方の第１のカ−ド基材横切り込みの延長線上にあって、前記第４のカ−ド基材縦切り込みの前記第２のカ−ド辺に近い側の端部と前記第２のカ−ド基材縦切り込みの前記第２のカ−ド辺に近い側の端部とを結ぶ切り込みである他方の第１のカ−ド基材横切り込みと、前記第２のカ−ド辺及び第４のカ−ド辺に平行であって、前記第１のカ−ド基材縦切り込みの前記第４のカ−ド辺に近い側の端部と前記第３のカ−ド基材縦切り込みの前記第４のカ−ド辺に近い側の端部とを結ぶ切り込みである一方の第２のカ−ド基材横切り込みと、この一方の第２のカ−ド基材横切り込みの延長線上にあって、前記第４のカ−ド基材縦切り込みの前記第４のカ−ド辺に近い側の端部と前記第２のカ−ド基材縦切り込みの前記第４のカ−ド辺に近い側の端部とを結ぶ切り込みである他方の第２のカ−ド基材横切り込みと、前記第１のカ−ド基材縦切り込み、前記一方の第１のカ−ド基材横切り込み、前記第３のカ−ド基材縦切り込み、前記一方の第２のカ−ド基材横切り込みで、第１の環状カ−ド基材切り込みを構成し、前記第４のカ−ド基材縦切り込み、前記他方の第１のカ−ド基材横切り込み、前記第２のカ−ド基材縦切り込み、前記他方の第２のカ−ド基材横切り込みで、第２の環状カ−ド基材切り込みを構成し、前記第１の環状カ−ド基材切り込みの内側に前記第１の環状台紙切り込みが、前記第２の環状カ−ド基材切り込みの内側に前記第２の環状台紙切り込みが、それぞれ位置している。
【０００６】
請求項３記載の印刷用シ−トは、請求項２記載の印刷用シ−トにおいて、第１の環状カ−ド基材切り込み内にあるカ−ド基材を等間隔に横切ると共に、切り込みが第１のカ−ド基材縦切り込みと第３のカ−ド基材縦切り込みに至り、一方の第１のカ−ド基材横切り込み及び一方の第２のカ−ド基材横切り込みに平行である一方のカ−ド基材横切り込みが複数設けられ、第２の環状カ−ド基材切り込み内にあるカ−ド基材を等間隔に横切ると共に、切り込みが第４のカ−ド基材縦切り込みと第２のカ−ド基材縦切り込みに至り、他方の第１のカ−ド基材横切り込み及び他方の第２のカ−ド基材横切り込みに平行である他方のカ−ド基材横切り込みが複数設けられ、前記複数の一方のカ−ド基材横切り込みと前記複数の他方のカ−ド基材横切り込みの数は同数であり、前記複数の一方のカ−ド基材横切り込みの延長線上に前記複数の他方のカ−ド基材横切り込みがそれぞれ位置している。
【０００７】
請求項４記載の印刷用シ−トの印刷方法は、両面印刷可能な矩形形状のカ−ド基材と、このカ−ド基材の裏面に再剥離性粘着剤を介して付着した前記カ−ド基材と同形状の台紙基材と、前記再剥離性粘着剤は、前記台紙基材の側に塗布されており、前記台紙基材は、少なくとも、環状に切り込みが設けられた環状台紙切り込みが設けられ、前記カ−ド基材は、少なくとも、環状に切り込みが設けられた環状カ−ド基材切り込みが設けられ、この環状カ−ド基材切り込みの内側に前記環状台紙切り込みが位置し、前記カ−ド基材の露出している表面側を印刷し、その後、前記環状台紙切り込みの内側に位置する前記台紙基材の部材を剥離した後、剥離した前記環状台紙切り込みの内側に位置する前記台紙基材の部材を前記カ−ド基材の表面側に付着させ、前記カ−ド基材の裏面側を印刷する。
【０００８】
請求項５記載の印刷用シ−トは、両面印刷可能な矩形形状のカ−ド基材と、このカ−ド基材の外周縁部は、時計回りに、第１のカ−ド辺、第２のカ−ド辺、第３のカ−ド辺、第４のカ−ド辺で構成され、このカ−ド基材の裏面に再剥離性粘着剤を介して付着した前記カ−ド基材と同形状の台紙基材と、この台紙基材の外周縁部は、反時計回りに、第１の台紙辺、第２の台紙辺、第３の台紙辺、第４の台紙辺で構成され、前記カ−ド基材と前記台紙基材とが付着した状態においては、前記第１の台紙辺は前記第１のカ−ド辺に、前記第２の台紙辺は前記第２のカ−ド辺に、前記第３の台紙辺は前記第３のカ−ド辺に、前記第４の台紙辺は前記第４のカ−ド辺に、それぞれ対応する関係にあり、前記再剥離性粘着剤は、前記台紙基材の側に塗布されており、前記台紙基材は、前記第１の台紙辺及び第３の台紙辺に平行且つ、第２の台紙辺から前記第４の台紙辺に至る台紙縦切り込みが複数設けられ、この複数の台紙縦切り込みは、少なくとも、前記第１の台紙辺から前記第３の台紙辺に至る第１の台紙縦切り込み、第２の台紙縦切り込みであり、前記カ−ド基材は前記第１のカ−ド辺及び第３のカ−ド辺に平行且つ、第２のカ−ド辺から前記第４のカ−ド辺に至るカ−ド基材縦切り込みが複数設けられ、この複数のカ−ド基材縦切り込みは、少なくとも、前記第１のカ−ド辺から前記第３のカ−ド辺に至る第１のカ−ド基材縦切り込み、第２のカ−ド基材縦切り込みであり、前記第１のカ−ド基材縦切り込みは、前記第１のカ−ド辺と前記第１の台紙縦切り込みとの間に、前記第２のカ−ド基材縦切り込みは、前記第２の台紙縦切り込みと前記第３のカ−ド辺との間に、それぞれ位置している。
【０００９】
請求項６記載の印刷用シ−トは、  両面印刷可能な矩形形状のカ−ド基材と、このカ−ド基材の外周縁部は、時計回りに、第１のカ−ド辺、第２のカ−ド辺、第３のカ−ド辺、第４のカ−ド辺で構成され、このカ−ド基材の裏面に再剥離性粘着剤を介して付着した前記カ−ド基材と同形状の台紙基材と、この台紙基材の外周縁部は、反時計回りに、第１の台紙辺、第２の台紙辺、第３の台紙辺、第４の台紙辺で構成され、前記カ−ド基材と前記台紙基材とが付着した状態においては、前記第１の台紙辺は前記第１のカ−ド辺に、前記第２の台紙辺は前記第２のカ−ド辺に、前記第３の台紙辺は前記第３のカ−ド辺に、前記第４の台紙辺は前記第４のカ−ド辺に、それぞれ対応する関係にあり、前記再剥離性粘着剤は、前記台紙基材の側に塗布されており、前記台紙基材は間隔を有して前記第１の台紙辺及び第３の台紙辺に平行且つ、第２の台紙辺から前記第４の台紙辺に至る台紙縦切り込みが複数設けられ、この複数の台紙縦切り込みは、前記第１の台紙辺から前記第３の台紙辺に向かって第１の台紙縦切り込み、第３の台紙縦切り込み、第４の台紙縦切り込み、第２の台紙縦切り込みであり、前記カ−ド基材は間隔を有して前記第１のカ−ド辺及び第３のカ−ド辺に平行且つ、前記第２のカ−ド辺及び前記第４のカ−ド辺に至るカ−ド基材縦切り込みが複数設けられ、この複数のカ−ド基材縦切り込みは、前記第１のカ−ド辺から前記第３のカ−ド辺に向かって第１のカ−ド基材縦切り込み、第３のカ−ド基材縦切り込み、第４のカ−ド基材縦切り込み、第２のカ−ド基材縦切り込みであり、前記第１のカ−ド基材縦切り込みは、前記第１のカ−ド辺と前記第１の台紙縦切り込みとの間に、前記第３のカ−ド基材縦切り込みは、前記第４のカ−ド基材縦切り込みと前記第３の台紙縦切り込みとの間に、前記第４のカ−ド基材縦切り込みは、前記第３のカ−ド基材縦切り込みと前記第４の台紙縦切り込みとの間に、前記第２のカ−ド基材縦切り込みは、前記第２の台紙縦切り込みと前記第３のカ−ド辺との間に、それぞれ位置している。
【００１０】
請求項７記載の印刷用シ−トは、請求項６記載の印刷用シ−トにおいて、第１のカ−ド基材縦切り込みと第３のカ−ド基材縦切り込みとの間のカ−ド基材を等間隔に横切ると共に、切り込みが第１のカ−ド基材縦切り込みと第３のカ−ド基材縦切り込みに至り、第２のカ−ド辺及び第４のカ−ド辺に平行である一方のカ−ド基材横切り込みが複数設けられ、第４のカ−ド基材縦切り込みと第２のカ−ド基材縦切り込みとの間のカ−ド基材を等間隔に横切ると共に、切り込みが第４のカ−ド基材縦切り込みと第２のカ−ド基材縦切り込みに至り、第２のカ−ド辺及び第４のカ−ド辺に平行である他方のカ−ド基材横切り込みが複数設けられ、前記複数の一方のカ−ド基材横切り込みと前記複数の他方のカ−ド基材横切り込みの数は同数であり、前記複数の一方のカ−ド基材横切り込みの延長線上に前記複数の他方のカ−ド基材横切り込みがそれぞれ位置している。
【００１１】
請求項８記載の印刷用シ−トの印刷方法は、両面印刷可能な矩形形状のカ−ド基材と、このカ−ド基材の外周縁部は、時計回りに、第１のカ−ド辺、第２のカ−ド辺、第３のカ−ド辺、第４のカ−ド辺で構成され、このカ−ド基材の裏面に再剥離性粘着剤を介して付着した前記カ−ド基材と同形状の台紙基材と、この台紙基材の外周縁部は、反時計回りに、第１の台紙辺、第２の台紙辺、第３の台紙辺、第４の台紙辺で構成され、前記カ−ド基材と前記台紙基材とが付着した状態においては、前記第１の台紙辺は前記第１のカ−ド辺に、前記第２の台紙辺は前記第２のカ−ド辺に、前記第３の台紙辺は前記第３のカ−ド辺に、前記第４の台紙辺は前記第４のカ−ド辺に、それぞれ対応する関係にあり、前記再剥離性粘着剤は、前記台紙基材の側に塗布されており、前記台紙基材は、前記第１の台紙辺及び第３の台紙辺に平行且つ、第２の台紙辺から前記第４の台紙辺の手前に至る台紙縦切り込みが複数設けられ、この複数の台紙縦切り込みは、少なくとも、前記第１の台紙辺から前記第３の台紙辺に至る第１の台紙縦切り込み、第２の台紙縦切り込みであり、前記カ−ド基材は前記第１のカ−ド辺及び第３のカ−ド辺に平行且つ、第２のカ−ド辺から前記第４のカ−ド辺に至るカ−ド基材縦切り込みが複数設けられ、この複数のカ−ド基材縦切り込みは、少なくとも、前記第１のカ−ド辺から前記第３のカ−ド辺に至る第１のカ−ド基材縦切り込み、第２のカ−ド基材縦切り込みであり、前記第１のカ−ド基材縦切り込みは、前記第１のカ−ド辺と前記第１の台紙縦切り込みとの間に、前記第２のカ−ド基材縦切り込みは、前記第２の台紙縦切り込みと前記第３のカ−ド辺との間に、それぞれ位置し、前記カ−ド基材の露出している表面側を印刷し、その後、前記第１の台紙縦切り込みと前記第２の台紙縦切り込みとの間に位置する前記台紙基材の部材を剥離した後、剥離した前記台紙基材の部材を前記カ−ド基材の表面側に付着させ、前記カ−ド基材の裏面側を印刷する。
【発明の効果】
【００１２】
請求項１記載の印刷用シ−トによれば、カ−ド基材の露出している表面側を印刷し、その後、環状台紙切り込みに沿って環状台紙切り込みの内側に位置する台紙基材の部材を剥離した後、露出したカ−ド基材の裏面側を印刷することができる。なお、カ−ド基材の裏面側を印刷する際、カ−ド基材は台紙基材に付着しており、印刷用シ−トの外形形状は、環状台紙切り込みの剥離前後で変化はなく、プリンタ−の印刷に支障はない。
【００１３】
請求項４記載の印刷用シ−トの印刷方法によれば、カ−ド基材の露出している表面側を印刷し、その後、環状台紙切り込みを剥離した後、露出したカ−ド基材の裏面側を印刷することができる。なお、露出したカ−ド基材の裏面側を印刷する際、環状台紙切り込みの内側に位置する台紙基材の部材を剥離した分、強度的に低下するが、剥離した環状台紙切り込みの内側に位置する台紙基材の部材をカ−ド基材の表面側に付着させて強度的低下を補うことができる。
【００１４】
請求項５記載の印刷用シ−トによれば、カ−ド基材の露出している表面側を印刷し、その後、第１の台紙縦切り込みと第２の台紙縦切り込みとの間に位置する台紙基材の部材を剥離した後、露出したカ−ド基材の裏面側を印刷することができる。なお、カ−ド基材の裏面側を印刷する際、カ−ド基材は台紙基材に付着しており、印刷用シ−トの外形形状は、第１の台紙縦切り込みと第２の台紙縦切り込みとの間に位置する台紙基材の部材の剥離前後で変化はなく、プリンタ−の印刷に支障はない。
【００１５】
請求項６記載の印刷用シ−トによれば、カ−ド基材の露出している表面側を印刷し、その後、第１の台紙縦切り込みと第３の台紙縦切り込みとの間に位置する台紙基材の部材及び第４の台紙縦切り込みと第２の台紙縦切り込みとの間に位置する台紙基材の部材を剥離した後、露出したカ−ド基材の裏面側を印刷することができる。なお、カ−ド基材の裏面側を印刷する際、カ−ド基材は台紙基材に付着しており、印刷用シ−トの外形形状は、第１の台紙縦切り込みと第３の台紙縦切り込みとの間に位置する台紙基材の部材及び第４の台紙縦切り込みと第２の台紙縦切り込みとの間に位置する台紙基材の部材の剥離前後で変化はなく、プリンタ−の印刷に支障はない。
【００１６】
請求項８記載の印刷用シ−トの印刷方法によれば、カ−ド基材の露出している表面側を印刷し、その後、第１の台紙基材縦切り込みと第２の台紙基材縦切り込みとの間に位置する台紙基材の部材を剥離した後、露出したカ−ド基材の裏面側を印刷することができる。なお、露出したカ−ド基材の裏面側を印刷する際、カ−ド基材の部材を剥離した分、強度的に低下するが、剥離した台紙基材の部材をカ−ド基材の表面側に付着させて強度的低下を補うことができる。
【実施例】
【００１７】
本発明の一実施例の印刷用シ−ト及び印刷用シ−トの印刷方法を図面を参照して説明する。
図１乃至図７において、Ｐは印刷用シ−トで、印刷用シ−トＰは、両面印刷可能な矩形形状のカ−ド基材１と、このカ−ド基材１の裏面に再剥離性粘着剤２を介して付着したカ−ド基材１と同形状の台紙基材３とを有する。再剥離性粘着剤２は、台紙基材３の側に塗布されており、再剥離性粘着剤２は、被着体（本実施例では、カ−ド基材１）に粘着と剥離を繰り返した場合において、被着体（本実施例では、カ−ド基材１）に粘着性微小粒子が残留しないもので、例えば、アクリル系ポリマー（アクリル系ポリマーとしては、例えば、アクリル系エマルジョン型粘着剤、アクリル系溶剤型粘着剤）、ウレタン系粘着剤等である。なお、図１は、印刷用シ−トＰを表面側から見た概略的図であり、図３は、図１の印刷用シ−トＰを裏面側から見た概略的図である。
【００１８】
カ−ド基材１の外周縁部は、図１に示すように、時計回りに、第１のカ−ド辺ＡＢ、第２のカ−ド辺ＢＣ、第３のカ−ド辺ＣＤ、第４のカ−ド辺ＤＡで、台紙基材３の外周縁部は、図３に示すように、反時計回りに、第１の台紙辺Ａ’Ｂ’、第２の台紙辺Ｂ’Ｃ’、第３の台紙辺Ｃ’Ｄ’、第４の台紙辺Ｄ’Ａ’で、それぞれ構成され、カ−ド基材１と台紙基材３とが付着した状態においては（図２参照）、第１の台紙辺Ａ’Ｂ’は第１のカ−ド辺ＡＢに、第２の台紙辺Ｂ’Ｃ’は第２のカ−ド辺ＢＣに、第３の台紙辺Ｃ’Ｄ’は第３のカ−ド辺ＣＤに、第４の台紙辺Ｄ’Ａ’は第４のカ−ド辺ＤＡに、それぞれ対応する関係にある。
カ−ド基材１には、少なくとも、環状（環状は、とりまく形状であり、より具体的には、矩形形状である。）に切り込み（切り込みは、表裏に至る切り込みであり、より具体的には、カ−ド基材１で言えば、カ−ド基材１の表裏に至る切り込みである。）が設けられた環状カ−ド基材切り込みが設けられており、本実施例では、環状カ−ド基材切り込みが複数、ＣＫ１、ＣＫ２と設けられている。
また、台紙基材３には、少なくとも、環状（環状は、とりまく形状であり、より具体的には、矩形形状である。）に切り込み（切り込みは、表裏に至る切り込みであり、より具体的には、台紙基材３で言えば、台紙基材３の表裏に至る切り込みである。）が設けられた環状台紙切り込みが設けられ、本実施例では、環状台紙切り込みが複数、ＤＫ１、ＤＫ２と設けられている。そして、図１及び図３に示すように、環状カ−ド基材切り込みＣＫ１（ＣＫ２）の内側に後述する環状台紙切り込みＤＫ１（ＤＫ２）が位置するようになっている。
【００１９】
台紙基材３は、図３に示すように、第１の台紙辺Ａ’Ｂ’及び第３の台紙辺Ｃ’Ｄ’に平行且つ、第２の台紙辺Ｂ’Ｃ’の手前から第４の台紙辺Ｄ’Ａ’の手前に至る台紙縦切り込み（切り込みは、表裏に至る切り込みであり、より具体的には、台紙基材３で言えば、台紙基材３の表裏に至る切り込みである。）が複数設けられ、この複数の台紙縦切り込みは、少なくとも、第１の台紙辺Ａ’Ｂ’から第３の台紙辺Ｃ’Ｄ’に向かって第１の台紙縦切り込み3a、第３の台紙縦切り込み3c、第４の台紙縦切り込み3d、第２の台紙縦切り込み3bとなっている。つまり、第１の台紙縦切り込み3a、第３の台紙縦切り込み3c、第４の台紙縦切り込み3d、第２の台紙縦切り込み3bは、同じ長さで、並設（ならべてもうける）している。
また、一方の第１の台紙横切り込み3eは、第２の台紙辺Ｂ’Ｃ’及び第４の台紙辺Ｄ’Ａ’に平行であって、第１の台紙縦切り込み3aの第２の台紙辺Ｂ’Ｃ’に近い側の端部と第３の台紙縦切り込み3cの第２の台紙辺Ｂ’Ｃ’に近い側の端部とを結ぶ切り込みとなっている。
また、他方の第１の台紙横切り込み3fは、一方の第１の台紙横切り込み3eの延長線上にあって、第４の台紙縦切り込み3dの第２の台紙辺Ｂ’Ｃ’に近い側の端部と第２の台紙縦切り込み3bの第２の台紙辺Ｂ’Ｃ’に近い側の端部とを結ぶ切り込みとなっている。
また、一方の第２の台紙横切り込み3gは、第２の台紙辺Ｂ’Ｃ’及び第４の台紙辺に平行であって、第１の台紙縦切り込み3aの第４の台紙辺Ｄ’Ａ’に近い側の端部と第３の台紙縦切り込み3cの第４の台紙辺Ｄ’Ａ’に近い側の端部とを結ぶ切り込みとなっている。  また、他方の第２の台紙横切り込み3hは、一方の第２の台紙横切り込み3gの延長線上にあって、第４の台紙縦切り込み3dの第４の台紙辺Ｄ’Ａ’に近い側の端部と第２の台紙縦切り込み3bの第４の台紙辺Ｄ’Ａ’に近い側の端部とを結ぶ切り込みとなっている。
そして、上述した第１の台紙縦切り込み3a、一方の第１の台紙横切り込み3e、第３の台紙縦切り込み3c、一方の第２の台紙横切り込み3gで、第１の環状台紙切り込みＤＫ１を構成し、この第１の環状台紙切り込みＤＫ１の内側には、台紙基材３の部材31が位置している。
また、第４の台紙縦切り込み3d、他方の第１の台紙横切り込み3f、第２の台紙縦切り込み3b、他方の第２の台紙横切り込み3hで、第２の環状台紙切り込みＤＫ２を構成し、この第２の環状台紙切り込みＤＫ２の内側には、台紙基材３の部材32が位置している。
【００２０】
カ−ド基材１は、図１に示すように、第１のカ−ド辺ＡＢ及び第３のカ−ド辺ＣＤに平行且つ、第２のカ−ド辺ＢＣの手前から第４のカ−ド辺ＤＡの手前に至るカ−ド基材縦切り込み（切り込みは、表裏に至る切り込みであり、より具体的には、台紙基材３で言えば、台紙基材３の表裏に至る切り込みである。以下「切り込み」とは、表裏に至る切り込みのことをいう。）が複数設けられ、この複数のカ−ド基材縦切り込みは、少なくとも、第１のカ−ド辺ＡＢから第３のカ−ド辺ＣＤに向かって第１のカ−ド基材縦切り込み1a、第３のカ−ド基材縦切り込み1c、第４のカ−ド基材縦切り込み1d、第２のカ−ド基材縦切り込み1bとなっている。つまり、第１のカ−ド基材縦切り込み1a、第３のカ−ド基材縦切り込み1c、第４のカ−ド基材縦切り込み1d、第２のカ−ド基材縦切り込み1bは、同じ長さで、並設（ならべてもうける）している。
また、一方の第１のカ−ド基材横切り込み1eは、第２のカ−ド辺ＢＣ及び第４のカ−ド辺ＤＡに平行であって、第１のカ−ド基材縦切り込み1aの第２のカ−ド辺ＢＣに近い側の端部と第３のカ−ド基材縦切り込み1cの第２のカ−ド辺ＢＣに近い側の端部とを結ぶ切り込みとなっている。
また、他方の第１のカ−ド基材横切り込み1fは、一方の第１のカ−ド基材横切り込み1eの延長線上にあって、第４のカ−ド基材縦切り込み1dの第２のカ−ド辺ＢＣに近い側の端部と第２のカ−ド基材縦切り込み1bの第２のカ−ド辺ＢＣに近い側の端部とを結ぶ切り込みとなっている。
また、一方の第２のカ−ド基材横切り込み1gは、第２のカ−ド辺ＢＣ及び第４のカ−ド辺ＤＡに平行であって、第１のカ−ド基材縦切り込み1aの第４のカ−ド辺ＤＡに近い側の端部と第３のカ−ド基材縦切り込み1cの第４のカ−ド辺ＤＡに近い側の端部とを結ぶ切り込みとなっている。
また、他方の第２のカ−ド基材横切り込み1hは、一方の第２のカ−ド基材横切り込み1gの延長線上にあって、第４のカ−ド基材縦切り込み1dの第４のカ−ド辺ＤＡに近い側の端部と第２のカ−ド基材縦切り込み1bの第４のカ−ド辺ＤＡに近い側の端部とを結ぶ切り込みとなっている。
そして、上述した第１のカ−ド基材縦切り込み1a、一方の第１のカ−ド基材横切り込み1e、第３のカ−ド基材縦切り込み1c、一方の第２のカ−ド基材横切り込み1gで、第１の環状カ−ド基材切り込みＣＫ１を構成し、この第１の環状カ−ド基材切り込みＣＫ１の内側には、カ−ド基材１の部材11が位置している。
また、第４のカ−ド基材縦切り込み1d、他方の第１のカ−ド基材横切り込み1f、第２のカ−ド基材縦切り込み1b、他方の第２のカ−ド基材横切り込み1hで、第２の環状カ−ド基材切り込みＣＫ２を構成し、この第２の環状カ−ド基材切り込みＣＫ２の内側には、カ−ド基材１の部材12が位置している。そして、図１に示すように、第１の環状カ−ド基材切り込みＣＫ１の内側に第１の環状台紙切り込みＤＫ１が、第２の環状カ−ド基材切り込みＣＫ２の内側に第２の環状台紙切り込みＤＫ２がそれぞれ位置している。
また、第１の環状カ−ド基材切り込みＣＫ１内にあるカ−ド基材１の部材11を等間隔（本実施例では、５個）に横切ると共に、切り込みが第１のカ−ド基材縦切り込み1aと第３のカ−ド基材縦切り込み1cに至り、一方の第１のカ−ド基材横切り込み1e及び一方の第２のカ−ド基材横切り込み1gに平行である一方のカ−ド基材横切り込み1i、1i、1i、1iが複数（本実施例では、４個）設けられている。
また、第２の環状カ−ド基材切り込みＣＫ２内にあるカ−ド基材１の部材12を等間隔（本実施例では、５個）に横切ると共に、切り込みが第４のカ−ド基材縦切り込み1dと第２のカ−ド基材縦切り込み1bに至り、他方の第１のカ−ド基材横切り込み1f及び他方の第２のカ−ド基材横切り込み1hに平行である他方のカ−ド基材横切り込み1j、1j、1j、1jが複数（本実施例では、４個）設けられている。そして、複数の一方のカ−ド基材横切り込み1i、1i、1i、1iと複数の他方のカ−ド基材横切り込み1j、1j、1j、1jとの数は同数（本実施例では、４）であり、複数の一方のカ−ド基材横切り込み1i、1i、1i、1iの延長線上に複数の他方のカ−ド基材横切り込み1j、1j、1j、1jがそれぞれ位置している。
【００２１】
従って、この印刷用シ−トＰによれば、図１に示すように、カ−ド基材１の露出している表面側を図示しないプリンタ−により印刷して、カ−ド基材１の表面側に印刷を施す（図４参照）。その後、印刷用シ−トＰを裏返し、図５に示すように、環状台紙切り込みＤＫ１、ＤＫ２に沿って環状台紙切り込みの内側に位置する部材31、32を剥離した後、露出したカ−ド基材１の裏面側を図示しないプリンタ−により印刷し、カ−ド基材１の裏面側に印刷を施す（図６参照）。印刷後、図７に示すように、カ−ド基材１を分離し、例えば、表裏を印刷した名刺を得ることができる。なお、カ−ド基材１の裏面側を印刷する際、カ−ド基材１は台紙基材３に付着しており、印刷用シ−トＰの外形形状は、環状台紙切り込みＤＫ１、ＤＫ２に沿って環状台紙切り込みＤＫ１、ＤＫ２の内側に位置する部材31、32の剥離前後で変化はなく、プリンタ−（図示せず）の印刷に支障はない。
また、図８及び図９に示すように、カ−ド基材１の裏面側を印刷する際、剥離した環状台紙切り込みの内側に位置する部材31、32をカ−ド基材１の表面側に付着させ、カ−ド基材１の裏面側を印刷すれば、環状台紙切り込みＤＫ１、ＤＫ２の内側に位置する部材31、32の剥離による強度的低下を補うことができる。
【００２２】
上述した実施例においては、台紙基材３に環状の切り込みを設けたが、本願発明にあってはこれに限らず、台紙基材３に、間隔を有して第１の台紙辺Ａ’Ｂ’及び第３の台紙辺Ｃ’Ｄ’に平行且つ、第２の台紙辺Ｂ’Ｃ’から第４の台紙辺Ｄ’Ａ’に至る台紙縦切り込みを複数設けても良い。また、カ−ド基材１に、間隔を有して第１のカ−ド辺ＡＢ及び第３のカ−ド辺ＣＤに平行且つ、第２のカ−ド辺ＢＣ及び第４のカ−ド辺ＤＡに至るカ−ド基材縦切り込みを複数設設けても良い。
【００２３】
以下、上述した実施例と同一符号を付してその説明を一部省略する（図１０乃至図１３参照）。
複数の台紙縦切り込みは、図１１に示すように、第１の台紙辺Ａ’Ｂ’から第３の台紙辺Ｃ’Ｄ’に向かって第１の台紙縦切り込み3a' 、第３の台紙縦切り込み3c' 、第４の台紙縦切り込み3d' 、第２の台紙縦切り込み3b' となっている。
複数のカ−ド基材縦切り込みは、図１０に示すように、第１のカ−ド辺ＡＢから第３のカ−ド辺ＣＤに向かって第１のカ−ド基材縦切り込み1a' 、第３のカ−ド基材縦切り込み1c' 、第４のカ−ド基材縦切り込み1d' 、第２のカ−ド基材縦切り込み1b' となっている。
そして、第１のカ−ド基材縦切り込み1a' は、第１のカ−ド辺ＡＢと第１の台紙縦切り込み3a' との間に、第３のカ−ド基材縦切り込み1c' は、第４のカ−ド基材縦切り込み1d' と第３の台紙縦切り込み3c' との間に、第４のカ−ド基材縦切り込み1d' は、第３のカ−ド基材縦切り込み1c' と第４の台紙縦切り込み3d' との間に、第２のカ−ド基材縦切り込み1b' は、第２の台紙縦切り込み3b' と第３のカ−ド辺ＣＤとの間に、それぞれ位置している。
【００２４】
また、第１のカ−ド基材縦切り込み1a' と第３のカ−ド基材縦切り込み1c' との間のカ−ド基材１を等間隔に横切ると共に、切り込みが第１のカ−ド基材縦切り込み1a' と第３のカ−ド基材縦切り込み1c' に至り、第２のカ−ド辺ＢＣ及び第４のカ−ド辺ＤＡに平行である一方のカ−ド基材横切り込み1i、1i、1i、1iが複数（本実施例では、４個）設けられている。
また、第４のカ−ド基材縦切り込み1d' と第２のカ−ド基材縦切り込み1b' との間のカ−ド基材１を等間隔に横切ると共に、切り込みが第４のカ−ド基材縦切り込み1d' と第２のカ−ド基材縦切り込み1b' に至り、第２のカ−ド辺ＢＣ及び第４のカ−ド辺ＤＡに平行である他方のカ−ド基材横切り込み1j、1j、1j、1jが複数（本実施例では、４個）設けられている。
そして、複数の一方のカ−ド基材横切り込み1i、1i、1i、1iと複数の他方のカ−ド基材横切り込み1j、1j、1j、1jの数は同数（本実施例では、４）であり、複数の一方のカ−ド基材横切り込み1i、1i、1i、1iの延長線上に複数の他方のカ−ド基材横切り込み1j、1j、1j、1jがそれぞれ位置している。
【００２５】
従って、この実施例の印刷用シ−トＰにおいても、前述の実施例と同様に、カ−ド基材１の露出している表面側を印刷し、その後、第１の台紙縦切り込み3a' と第３の台紙縦切り込み3c' との間に位置する台紙基材３の部材31' 及び第４の台紙縦切り込み3d' と第２の台紙縦切り込み3b' との間に位置する台紙基材３の部材32' を剥離した後、露出したカ−ド基材の裏面側を印刷することができる。なお、カ−ド基材１の裏面側を印刷する際、カ−ド基材１は台紙基材３に付着しており、印刷用シ−トの外形形状は、部材31' 、32' の剥離前後で変化はなく、プリンタ−の印刷に支障はない。
なお、上述した実施例と同様に、露出したカ−ド基材１の裏面側を印刷する際、台紙基材３の部材31' 、32' を剥離した分、強度的に低下するが、図１２及び図１３に示すように、剥離した台紙基材３の部材31' 、32' をカ−ド基材１の表面側に付着させて強度的低下を補うことができる。なお、例えば、（第１の台紙縦切り込み3a' と第３の台紙縦切り込み3c' との間に位置する台紙基材３の）部材31'の 幅（T)と（第４の台紙縦切り込み3d' と第２の台紙縦切り込み3b' との間に位置する台紙基材３の）部材32' の 幅（T)は同じであり、第１の台紙縦切り込み3a' と第１の台紙辺Ａ’Ｂ’との 幅（t)と、第３の台紙辺Ｃ’Ｄ’と第２の台紙縦切り込み3b'との 幅（t)とは同じであり、T＞tとなっている。
【００２６】
上述した実施例においては、第１の台紙縦切り込み3a' と第３の台紙縦切り込み3c' との間に位置する台紙基材３の部材31' 、第４の台紙縦切り込み3d' と第２の台紙縦切り込み3b' との間に位置する台紙基材３の部材32' と複数設けたが、本願発明にあってはこれに限らず、単数でも良い。上述した実施例と同一符号を付してその説明を一部省略する（図１４及び図１５参照）。
即ち、台紙基材３は、第１の台紙辺Ａ’Ｂ’及び第３の台紙辺Ｃ’Ｄ’に平行且つ、第２の台紙辺Ｂ’Ｃ’から第４の台紙辺Ｄ’Ａ’に至る台紙縦切り込みが複数設けられ、この複数の台紙縦切り込みは、少なくとも、第１の台紙辺Ａ’Ｂ’から第３の台紙辺Ｃ’Ｄ’に至る第１の台紙縦切り込み3a' 、第２の台紙縦切り込み3b' となっている。
また、カ−ド基材１は第１のカ−ド辺ＡＢ及び第３のカ−ド辺ＣＤに平行且つ、第２のカ−ド辺ＢＣから第４のカ−ド辺ＤＡに至るカ−ド基材縦切り込みが複数設けられ、この複数のカ−ド基材縦切り込みは、少なくとも、第１のカ−ド辺ＡＢから第３のカ−ド辺ＣＤに至る第１のカ−ド基材縦切り込み1a' 、第２のカ−ド基材縦切り込み1b' となっている。そして、第１のカ−ド基材縦切り込み1a' は、第１のカ−ド辺ＡＢと第１の台紙切り込み3a' との間に、第２のカ−ド基材縦切り込み1b' は、第２の台紙切り込み3b' と第３のカ−ド辺ＣＤとの間に、それぞれ位置している。
【図面の簡単な説明】
【００２７】
【図１】図１は、本発明の一実施例の印刷用シ−トを表面側から見た概略的図である。
【図２】図２は、図１のＸ−Ｘ線による概略的断面図である。
【図３】図３は、図１の印刷用シ−トを裏面側から見た概略的図である。
【図４】図４は、図１の印刷用シ−トの表面側を印刷した状態の概略的図である。
【図５】図５は、図４の印刷用シ−トを裏返し、環状台紙切り込みの内側にある台紙基材の部材を剥している状態の概略的図である。
【図６】図６は、図５の台紙基材の部材を剥し、図１の印刷用シ−トの裏面側を印刷した状態の概略的図である。
【図７】図７は、図６の印刷用シ−トの裏面側を印刷し、カ−ド基材を分離している状態の概略的図である。
【図８】図８は、図１の印刷用シ−トの裏面側を印刷する場合、剥した環状台紙切り込みの内側にある台紙基材を印刷用シ−トの表面側に付着する状態の概略的斜視図である。
【図９】図９は、図８の概略的断面図である。
【図１０】図１０は、図９の印刷用シ−トと異なる他の実施例の印刷用シ−トを表面側から見た概略的図である。
【図１１】図１１は、図１０の印刷用シ−トを裏面側から見た概略的図である。
【図１２】図１２は、図１０の印刷用シ−トの裏面側を印刷する場合、剥した環状台紙切り込みの内側にある台紙基材を印刷用シ−トの表面側に付着する状態の概略的斜視図である。
【図１３】図１３は、図１２の概略的断面図である。
【図１４】図１４は、図１０の印刷用シ−トと異なる他の実施例の印刷用シ−トを表面側から見た概略的図である。
【図１５】図１５は、図１４の印刷用シ−トを裏面側から見た概略的図である。
【符号の説明】
【００２８】
Ｐ  ・・・・・印刷用シ−ト
１  ・・・・・カ−ド基材
２  ・・・・・再剥離性粘着剤
３  ・・・・・台紙基材
ＣＫ１・・・・環状カ−ド基材切り込み
ＣＫ２・・・・環状カ−ド基材切り込み
ＤＫ１・・・・環状台紙切り込み
ＤＫ２・・・・環状台紙切り込み
【図１】
2005343070.tif 000003
【図２】
2005343070.tif 000004
【図３】
2005343070.tif 000005
【図４】
2005343070.tif 000006
【図５】
2005343070.tif 000007
【図６】
2005343070.tif 000008
【図７】
2005343070.tif 000009
【図８】
2005343070.tif 000010
【図９】
2005343070.tif 000011
【図１０】
2005343070.tif 000012
【図１１】
2005343070.tif 000013
【図１２】
2005343070.tif 000014
【図１３】
2005343070.tif 000015
【図１４】
2005343070.tif 000016
【図１５】
2005343070.tif 000017